(57)【要約】 【課題】  テレビを視聴者にとって観易い画面の角度で保持することができるテレビスタンドを提供することを目的としている。【解決手段】  テレビＴを保持するテレビスタンド１であって、略鉛直状態で配置されている弓形のレール部材２と、レール部材２に移動自在に嵌合されてレール部材２の軸方向に移動されるとともにテレビＴが取り付けられたブラケット部材３とが備えられている。【選択図】      図１
2005184506.tif 000002
【特許請求の範囲】
【請求項１】
テレビを保持するテレビスタンドであって、
略鉛直状態で配置されている弓形のレール部材と、該レール部材に移動自在に嵌合されて該レール部材の軸方向に移動されるとともに前記テレビが取り付けられたブラケット部材とが備えられていることを特徴とするテレビスタンド。
【請求項２】
請求項１記載のテレビスタンドにおいて、
前記ブラケット部材を前記レール部材の軸方向に移動させる移動機構が備えられていることを特徴とするテレビスタンド。
【請求項３】
請求項１または２記載のテレビスタンドにおいて、
前記レール部材の下端には床面に接地される接地面が形成され、前記レール部材の中間部又は上端部のうち少なくとも一方には壁面に当接される当接部材が設けられていることを特徴とするテレビスタンド。
【請求項４】
請求項３記載のテレビスタンドにおいて、
前記レール部材は複数平行に配置され、複数の該レール部材は前記当接部材を介して連結されていることを特徴とするテレビスタンド。
【請求項５】
請求項３または４記載のテレビスタンドにおいて、
前記当接部材には、電子機器または配線のうち少なくとも一方が備えられていることを特徴とするテレビスタンド。
【発明の詳細な説明】
【技術分野】
【０００１】
本発明は、テレビが掛けられ、テレビを所定の位置に保持するテレビスタンドに関する。
【背景技術】
【０００２】
従来、テレビを保持するものとして、テレビが載せられ或いは収納されるテレビ台や、薄型のテレビを壁掛けするためテレビが取り付けられているとともに壁に固定されるテレビ台が提供されている。また、近年では、搭載したテレビの画面を視聴者の視線方向に向けることができるようにするためのテレビ台装置が提供されている。このテレビ台装置には、テレビを横方向の向きを調整する横振り機構、テレビの傾き角度を調整する縦振り機構、及びテレビを上下方向に移動させる昇降機構がそれぞれ備えられている。このテレビ台装置によれば、搭載したテレビの画面が視聴者の視線方向に向くようにテレビを動かすことができる（例えば、特許文献１参照。）。
【特許文献１】特開２００１−６９４３１号公報  （第４−６頁、第１図）
【発明の開示】
【発明が解決しようとする課題】
【０００３】
しかしながら、上記した従来のテレビ台では、テレビの画面は一定の位置及び向きに固定されており、視聴者がテレビ画面に対面する位置以外に居る場合には、テレビの場面が観え難いという問題が存在する。特に、近年急激に普及されている液晶画面の場合には、テレビ画面を斜めから観ると画面に映し出された画像が観えない場合もある。また、上記したテレビ台装置では、シリンダーやモーターを使用した横振り機構、縦振り機構及び昇降機構が備えられているため、装置の重量は相当重くなり、装置の設置及び移動する作業は重労働となるという問題が存在する。
【０００４】
本発明は、上記した従来の問題が考慮されたものであり、テレビを視聴者にとって観易い画面の角度で保持することができるテレビスタンドを提供することを目的としている。また、設置及び移動を容易に行うことができるテレビスタンドを提供することを目的としている。
【課題を解決するための手段】
【０００５】
請求項１記載の発明は、テレビを保持するテレビスタンドであって、略鉛直状態で配置されている弓形のレール部材と、該レール部材に移動自在に嵌合されて該レール部材の軸方向に移動されるとともに前記テレビが取り付けられたブラケット部材とが備えられていることを特徴としている。
【０００６】
請求項２記載の発明は、請求項１記載のテレビスタンドにおいて、前記ブラケット部材を前記レール部材の軸方向に移動させる移動機構が備えられていることを特徴としている。
【０００７】
請求項３記載の発明は、請求項１または２記載のテレビスタンドにおいて、前記レール部材の下端には床面に接地される接地面が形成され、前記レール部材の中間部又は上端部のうち少なくとも一方には壁面に当接される当接部材が設けられていることを特徴としている。
【０００８】
請求項４記載の発明は、請求項３記載のテレビスタンドにおいて、前記レール部材は複数平行に配置され、複数の該レール部材は前記当接部材を介して連結されていることを特徴としている。
【０００９】
請求項５記載の発明は、請求項３または４記載のテレビスタンドにおいて、前記当接部材には、電子機器または配線のうち少なくとも一方が備えられていることを特徴としている。
【発明の効果】
【００１０】
本発明に係るテレビスタンドによれば、テレビは、弓形のレール部材の軸方向に沿って移動されるブラケット部材に取り付けられるため、ブラケット部材の傾きは嵌合されるレール部材の位置によって変わり、テレビ画面の傾きはブラケット部材の傾きに応じて変えられる。これによって、テレビを視聴者にとって観易い画面の角度で保持することができる。また、テレビの傾きは、弓形のレール部材の形状によって変わるため、テレビの傾きを調節する機構を必要としない。これによって、テレビスタンドの重量を軽減することができ、テレビスタンドの設置及び移動を容易に行うことができる。
【発明を実施するための最良の形態】
【００１１】
以下、本発明に係るテレビスタンドの実施の形態について、図面に基いて説明する。
【００１２】
図１は２つの画面が横並びに形成されたテレビＴを保持するテレビスタンド１の斜視図であり、図２はテレビスタンド１の正面図であり、図３はテレビスタンド１の側面図であり、図４はテレビスタンド１の平面図である。図１、図２、図３、図４に示すように、テレビスタンド１は、略鉛直状態で２本平行に配置されている弓形のレール部材２と、レール部材２に嵌合されているとともにテレビＴと接合されているブラケット部材３と、ブラケット部材３をレール部材２の軸方向に沿って移動させる移動機構４と、２本のレール部材２を連結するとともに壁Ｗに当接される箱状の当接部材５とから構成され、当接部材５の内部にはＤＶＤ機器６が搭載され、当接部材５の下方には棚７が２本のレール部材２間に架設されている。
【００１３】
２本のレール部材２は前後方向にそれぞれ曲げられており、上端部は若干前方に曲げられており、下端は上端部より前方に曲げられている。レール部材２は、断面形状がＣ形の中空鋼管からなり、レール部材２の前側面には軸方向に延在するレール溝２ａが形成されている。また、レール部材２の下端には床面Ｓに接地されるゴム材からなる接地面２ｂが形成されており、上端にはゴム材からなるキャップ２ｃが嵌合されている。
【００１４】
図５はレール部材２の断面斜視図である。図５に示すように、ブラケット部材３は、レール部材２のレール溝２ａ内に嵌装されている板状の摺動部８と、テレビＴの裏面に形成された取付部９に接合されている接合部１０と、接合部１０の後面からレール部材２内に突出されて摺動部８に形成された孔８ａに挿通されている軸部１１とから構成されている。摺動部８の両側端面にはレール溝２ａの縁部が嵌合される摺動溝８ｂがそれぞれ形成されており、摺動部８はレール溝２ａに沿って移動自在に設けられている。また、接合部１０はコ形に形成されたものであり、テレビＴの取付部９を掴持した状態で取付部９の両側面にビス止めされている。
【００１５】
図６はレール部材２の断面図である。図５、図６に示すように、移動機構４は、レール部材２の内部に設けられたラック１２と、レール部材２内に配置されラック１２に噛合されるピニオン１３と、ピニオン１３を両側から挟み込むように保持するコ形の保持金物１４と、ピニオン１３を回転させるモーター１５とから構成されている。ラック１２はレール溝２ａの反対側に位置するレール部材２の内側面に接合されており、レール部材２の軸方向に延在されて弓形に形成されている。ピニオン１３の中心にはモーター１５の回転軸１５ａの先端が固定されており、回転軸１５ａは保持金物１４の先端に回転自在に挿通されている。また、摺動部８と保持金物１４との間にはスプリングなどの付勢部材１６が介在されており、保持金物１４に保持されたピニオン１３はラック１２方向に付勢されている。
【００１６】
また、図１、図２、図３、図４に示すように、一方のレール部材２の外側面にはモーター１５のオンオフ及び回転方向を制御する操作部１７が付設されており、２本のレール部材２内にそれぞれ備えられた移動機構４は１つの操作部１７で操作される。
【００１７】
当接部材５は長方形の薄型の箱であり、当接部材５の両端はレール部材２の中間部にそれぞれ接合されている。当接部材５の裏面は壁Ｗに当接されており、壁Ｗの図示せぬ下地材にビス固定されている。また、当接部材５の表面には当接部材５内に搭載されたＤＶＤ機器６の表示部１７が形成されている。また、当接部材５の上面にはＤＶＤ機器６の挿入口１８が形成されている。さらに、当接部材５の内部には移動機構４及びＤＶＤ機器６の配線が収納されている。
【００１８】
また、棚７は、レール部材２の下端部から後方にそれぞれ張り出された張出材１９と、２本の張出材１９上に架設された天板２０とから構成されている。張出材１９はレール部材２の下端部の内側面にボルト固定されており、張出材１９の先端は壁Ｗに当接されている。天板２０の上には、ＤＶＤのソフトやスピーカーの機材Ａ等が載せられている。
【００１９】
次に、上記した構成からなるテレビスタンド１の使用方法について説明する。
【００２０】
まず、テレビスタンド１を壁Ｗの近くに配置し、レール部材２の下端に形成された接地面２ｂを床面Ｓに接地させるとともに当接部材５の裏面を壁Ｗに当接させてテレビスタンド１を壁Ｗに立て掛ける。このとき、当接部材５に形成された図示せぬビス孔が壁Ｗの図示せぬ下地材の位置にくるようにテレビスタンド１の配置位置の位置合わせを行い、当接部材５の裏面を壁Ｗにビス固定する。次に、テレビＴの裏面に形成された取付部９をブラケット部材３の接合部１０内に嵌め込んでビス固定し、テレビＴをブラケット部材３に保持させる。
【００２１】
次に、操作部１７により移動機構４を操作してブラケット部材３をレール部材２に沿って移動させる。具体的には、操作部１７を操作してモーター１５を稼動させ、回転軸１５ａを回転させる。回転軸１５ａが回転すると回転軸１５ａの先端に設けられたピニオン１３が鉛直方向に回転する。ピニオン１３はラック１２に噛合されているため、ピニオン１３はモーター１５と共にラック１２に沿って移動する。モーター１５の回転軸１５ａは保持金物１４の先端に挿通されているため、ピニオン１２が移動するとともに保持金物１４は移動し、ブラケット部材３はレール部材２に沿って移動する。そして、所定の位置までブラケット部材３を移動させ、ブラケット部材３に取り付けられたテレビＴを視聴者が見やすい角度に傾かせる。
【００２２】
上記した構成からなるテレビスタンド１によれば、テレビＴは、弓形のレール部材２の軸方向に沿って移動されるブラケット部材３に取り付けられるため、ブラケット部材３の傾きはレール部材２の位置によって変わり、テレビＴの画面の傾きはブラケット部材３の傾きに応じて変えられる。これによって、テレビＴを視聴者にとって観易い画面の角度で保持することができる。また、テレビＴの傾きは、弓形のレール部材２の形状によって変わるため、テレビＴの傾きを調節する機構を必要としない。これによって、テレビスタンド１の重量を軽減することができ、テレビスタンド１の設置及び移動を容易に行うことができる。
【００２３】
また、テレビスタンド１には、ブラケット部材３をレール部材２の軸方向に移動させる移動機構４が備えられているため、ブラケット部材３に取り付けられているテレビＴは移動機構４によって移動される。これによって、ブラケット部材３を容易に移動させることができ、テレビＴを所定の角度に調整する作業は容易に行うことができる。
【００２４】
また、レール部材２の下端には床面Ｓに接地される接地面２ｂが形成され、レール部材２の中間部には壁Ｗに当接されて壁Ｗの図示せぬ下地材に固定される当接部材５が設けられているため、レール部材２は接地面２ｂにより下方から支持されるとともに当接部材５により側方から支持される。これによって、レール部材２を支持する台などを設けずにレール部材２を略鉛直状態で配置することができ、テレビスタンド１をより軽量化することができる。
【００２５】
また、レール部材２は２本平行に配置され、２本のレール部材２は当接部材５を介して連結されているため、テレビＴは２本のレール部材２にそれぞれ嵌合されたブラケット部材３によって２点支持される。これによって、幅広のテレビＴを安定した状態で保持することができる。また、レール部材２と当接部材５とは門形に形成されるため、テレビスタンド１は安定した状態で設置することができる。
【００２６】
また、箱状の当接部材５の内部には、ＤＶＤ機器６及び配線が収納されているため、他にＤＶＤ機器６を設置する場所を確保する必要はなく、省スペース化を図ることができるとともに、当接部材５によってＤＶＤ機器６及び配線が目隠しされているため、外観を整然とすることができる。
【００２７】
以上、本発明に係るテレビスタンドの実施の形態について説明したが、本発明は上記した実施の形態に限定されるものではなく、その趣旨を逸脱しない範囲で適宜変更可能である。例えば、上記した実施の形態では、移動機構４として、ラック１２とピニオン１３とモーター１５とを使用した機構によってブラケット部材３を移動させているが、本発明は、図７に示すような移動機構１００を使用してもよい。具体的には、図７に示すように、移動機構１００は、レール部材１０１の内部に設けられており、レール部材１０１上端の内部に設けられた第１の滑車１０２と、レール部材１０１中間の内部に設けられた複数の第２の滑車１０３と、レール部材１０１下端の内部に設けられたホイスト１０４と、ホイスト１０４から第１の滑車１０２及び第２の滑車１０３に巻回されてブラケット部材１０５に接続されたワイヤー１０６とから構成されている。第１の滑車１０２から吊下げられたワイヤー１０６の先端は、レール部材１０１のレール溝１０１ａに移動自在に嵌合された摺動部１０７の裏面に接続されており、摺動部１０７の表面には、テレビＴの取付部１０８に接合される接合部１０９が形成されている。
【００２８】
上記した構成からなる移動機構１００の使用方法としては、ホイスト１０４を稼動させてワイヤー１０６を巻き取ることでワイヤー１０６の先端に吊下げられた摺動部１０７はレール溝１０１ａに沿って上方に移動し、テレビＴを保持するブラケット部材１０５はレール部材１０１の軸方向に沿って上方に移動し、テレビＴの傾き角度は変わる。また、ホイスト１０４を稼動させてワイヤー１０６を送り出すことでワイヤー１０６の先端に吊下げられた摺動部１０７はレール溝１０１ａに沿って下方に移動し、テレビＴを保持するブラケット部材１０５はレール部材１０１の軸方向に沿って下方に移動し、テレビＴの傾き角度は変わる。
【００２９】
また、上記した実施の形態では、レール部材２は２本平行に配置されているが、本発明は、レール部材２を２本以上備える構成にしてもよい。例えば、保持するテレビＴが相当の幅広である場合などには、両側のレール部材に加えて真中にレール部材を設けてもよく、これによって、より安定した状態でテレビを保持することができるとともに、テレビスタンド自体も安定した状態で設置することができる。
【００３０】
また、上記した実施の形態では、保持部材５の内部にはＤＶＤ機器６が搭載されているが、本発明は、保持部材５にビデオ機器やステレオ機器やテレビ電話機器等を備えてもよく、保持部材５に備えられる電子機器は適宜変更可能である。また、上記した実施の形態では、保持部材５は箱状に形成されているが、本発明は、保持部材が板状に形成されていてもよく、断面形状がＣ形のカバー状に形成されていてもよい。
【００３１】
また、上記した実施の形態では、レール部材２下端の接地面２ｂはゴム材から形成されているが、本発明は、レール部材２下端の接地面２ｂを床面Ｓにビス等で固定されるものでもよい。これによって、より安定した状態でレール部材２を配置することができる。また、当接部材５は壁Ｗの下地材にビス固定されているが、本発明は、当接部材５を壁Ｗに固定せずに壁面に当接させるだけでもよく、或いは壁面に掛止部を設けて該掛止部に掛止させてもよい。また、上記した実施の形態では、当接部材５はレール部材２の中間部に架設されているが、本発明は当接部材５をレール部材２の上端部に架設してもよい。
【００３２】
また、上記した実施の形態では、テレビスタンド１は床面Ｓ上に設置されているが、本発明は、テレビスタンド１を台の上に設置してもよく、本発明に係る床面Ｓは部屋の床の上面のみを意味するものでなく、台や棚等の上面をも含むものであり、略水平面を意味する。また、本発明に係る壁Ｗは部屋を仕切る壁のみを意味するものではなく、柱面や梁側面や棚の背面等も含むものであり、略鉛直面を意味する。
【図面の簡単な説明】
【００３３】
【図１】本発明に係るテレビスタンドの実施の形態を説明する斜視図である。
【図２】本発明に係るテレビスタンドの実施の形態を説明する正面図である。
【図３】本発明に係るテレビスタンドの実施の形態を説明する側面図である。
【図４】本発明に係るテレビスタンドの実施の形態を説明する平面図である。
【図５】本発明に係るテレビスタンドの実施の形態を説明する部分斜視図である。
【図６】本発明に係るテレビスタンドの実施の形態を説明する部分断面図である。
【図７】本発明に係るテレビスタンドのその他の実施の形態を説明する部分断面図である。
【符号の説明】
【００３４】
１  テレビスタンド
２，１０１  レール部材
２ｂ  接地面
３，１０５  ブラケット部材
４，１００  移動機構
５  当接部材
６  ＤＶＤ機器（電子機器）
Ｔ  テレビ
Ｓ  床面
Ｗ  壁面
【図１】
2005184506.tif 000003
【図２】
2005184506.tif 000004
【図３】
2005184506.tif 000005
【図４】
2005184506.tif 000006
【図５】
2005184506.tif 000007
【図６】
2005184506.tif 000008
【図７】
2005184506.tif 000009